(57)【要約】      （修正有）【課題】連結金具が装飾性に富み、長期間の使用にも磨耗して外れにくく、珠玉が傷付くという欠点がないネックレス等の装身具用連結金具を提供する。【解決手段】連珠状の装身具の一端に取り付けられ、かつ蝶番２０を介して開閉可能に連結された一対のハウジング１１，１２の対向する部分にはそれぞれ開放端に向かって磁石保持部１３および珠玉収納部１４が順次形成されており、上記開放端には閉じたときに通糸５３部分を挟んで珠玉収納部に収納した珠玉５１を抜け止めする第１の開口１５が形成され、側面には閉じたときに上記通糸部分を挟んで珠玉収納部に収納した珠玉を抜け止めする第２の開口が形成され、開放するためのつまみ１７，１８が設けられ閉じた際に永久磁石１９の吸着作用で開放しなくなり、連珠状の装身具を第１の開口を用いて連結するとループ状に、また連珠状の装身具を第２の開口を用いて連結すると装身具の途中で直交する方向に、それぞれ連結できるようにした。【選択図】  図１
2006102090.tif 000002
【特許請求の範囲】
【請求項１】
多数の珠玉に貫通孔を設け、この貫通孔内に通糸等を挿通して連結した連珠状の装身具に用いられる装身具用連結金具であって、
連珠状の装身具の一端に取り付けられ、かつ蝶番を介して開閉可能に連結された一対のハウジングを備え、一対のハウジングの対向する部分にはそれぞれ開放端に向かって磁石保持部および珠玉収納部が順次形成されており、一対のハウジングの上記開放端には閉じたときに上記通糸部分を挟んで珠玉収納部に収納した珠玉を抜け止めする第１の開口が形成され、一対のハウジングの側面には閉じたときに上記通糸部分を挟んで珠玉収納部に収納した珠玉を抜け止めする第２の開口が形成され、また一対のハウジングにはそれぞれ開放するためのつまみが設けられていて、
一対のハウジングを閉じた際に上記磁石保持部に取り付けた永久磁石の吸着作用で一対のハウジングは容易に開放しなくなり、
連珠状の装身具を第１の開口を用いて連結するとループ状に、また連珠状の装身具を第２の開口を用いて連結すると装身具の途中で直交する方向に、それぞれ連結できるようにしたことを特徴とする装身具用連結金具。
【請求項２】
一対のハウジングの上記開放端に設けた第１の開口が、その突合せ部分の一方をコ字状とし、他方を上記コ字状部分にはめ込まれる形状としたことを特徴とする請求項１に記載の装身具用連結金具。
【請求項３】
一対のハウジングの上記側面に設けた第２の開口が、その突合せ部分の一方の開放端側を深くし、他方を浅くしたことを特徴とする請求項１または２に記載の装身具用連結金具。
【請求項４】
一対のハウジングがその側面に磁石保持部を備え、連珠状の装身具を多連としたときに、上記磁石保持部に取り付けた永久磁石の吸着作用で結束状態を保てることができるようにしたことを特徴とする請求項１ないし３のいずれかに記載の装身用連結金具。
【請求項５】
一対のハウジングの側面に設けた磁石保持部が一対のハウジングの接合面に形成され、連珠状の装身具を多連としたときに上記接合面が身体の前面に来ないようにしたことを特徴とする請求項１ないし４のいずれかに記載の装身具用連結金具。
【発明の詳細な説明】
【技術分野】
【０００１】
この発明は、ネックレス等の連珠状の装身具を種々の形態で連結するために永久磁石の磁着力を利用した装身具用連結金具に関する。
【背景技術】
【０００２】
ネックレス等の連珠状の装身具を連結する場合、それぞれの端部に永久磁石や磁性体を配置してそれらの磁力のみで連結することは一般的に行なわれている。例えば、特開２００３−１５３７１０公報（特許文献１参照）、特開平９−２７６０１５号公報（特許文献２参照）、登録実用新案第３０８１２４２号公報（特許文献３参照）等が公知である。
また、珠玉部分を収納できるようにした連結金具としては、特開２０００−９９２１８公報（特許文献４参照）、特開平９−５６４２９号公報（特許文献５参照）、実開平７−１１５号公報（特許文献６参照）、もしくは実開昭６３−３６３０７号公報（特許文献７参照）等が公知である。
さらに、珠玉間の通糸等に係合させるようにした連結金具としては、特開２０００−２７０９１３号公報（特許文献８参照）、登録実用新案第３１００９２１号公報（特許文献９参照）、登録実用新案第３０７６８８１号公報（特許文献１０参照）等が公知である。
【０００３】
しかしながら上記永久磁石や磁性体の磁力のみで連結する構成では、連結金具の部分の装飾性に欠け、また種々の連結形態を採用する余地があまりないという問題点があった。
また珠玉部分を収納できるようにした連結金具においては、連結金具の外れ止めを金具の弾性を利用してはめ込む形式のものが大半で、長期間使用していると係合部分が緩んだり、磨耗して外れやすくなってしまうという欠点があった。
さらに、珠玉間の通糸等に係合させるようにした連結金具においては、連結金具と珠玉とが擦れて珠玉が傷付きやすく、ネックレス等の連珠状の装身具をループ状（エンドレス）に連結することができないという問題点があった。
【特許文献１】特開２００３−１５３７１０公報
【特許文献２】特開平９−２７６０１５号公報
【特許文献３】登録実用新案第３０８１２４２号公報
【特許文献４】特開２０００−９９２１８公報
【特許文献５】特開平９−５６４２９号公報
【特許文献６】実開平７−１１５号公報
【特許文献７】実開昭６３−３６３０７号公報
【特許文献８】特開２０００−２７０９１３号公報
【特許文献９】登録実用新案第３１００９２１号公報
【特許文献１０】登録実用新案第３０７６８８１号公報
【発明の開示】
【発明が解決しようとする課題】
【０００４】
この発明は上記事情に鑑みて創案されたものであって、連結金具の部分が装飾性に富んでいて何ら違和感がなく、また長期間使用していると係合部分が緩む、磨耗して外れやすくなる、連結金具と珠玉とが擦れて珠玉が傷付くという欠点がなく、しかもネックレス等の連珠状の装身具の使用形態としてループ状（エンドレス）その他の種々の連結形態を採用することができる装身具用連結金具を提供することにある。
【課題を解決するための手段】
【０００５】
すなわち、この発明の装身具用連結金具は、多数の珠玉に貫通孔を設け、この貫通孔内に通糸等を挿通して連結した連珠状の装身具に用いられる装身具用連結金具であって、
連珠状の装身具の一端に取り付けられ、かつ蝶番を介して開閉可能に連結された一対のハウジングを備え、一対のハウジングの対向する部分にはそれぞれ開放端に向かって磁石保持部および珠玉収納部が順次形成されており、一対のハウジングの上記開放端には閉じたときに上記通糸部分を挟んで珠玉収納部に収納した珠玉を抜け止めする第１の開口が形成され、一対のハウジングの側面には閉じたときに上記通糸部分を挟んで珠玉収納部に収納した珠玉を抜け止めする第２の開口が形成され、また一対のハウジングにはそれぞれ開放するためのつまみが設けられていて、
一対のハウジングを閉じた際に上記磁石保持部に取り付けた永久磁石の吸着作用で一対のハウジングは容易に開放しなくなり、
連珠状の装身具を第１の開口を用いて連結するとループ状に、また連珠状の装身具を第２の開口を用いて連結すると装身具の途中で直交する方向に、それぞれ連結できるようにしたことを特徴とするものである。
【０００６】
この発明の装身具用連結金具は、上記一対のハウジングの上記開放端に設けた第１の開口が、その突合せ部分の一方をコ字状とし、他方を上記コ字状部分にはめ込まれる形状としたことをも特徴とするものである。
【０００７】
この発明の装身具用連結金具は、上記一対のハウジングの上記側面に設けた第２の開口が、その突合せ部分の一方の開放端側を深くし、他方を浅くしたことをも特徴とするものである。
【０００８】
この発明の装身具用連結金具は、上記一対のハウジングがその側面に磁石保持部を備え、連珠状の装身具を多連としたときに、上記磁石保持部に取り付けた永久磁石の吸着作用で結束状態を保てることができるようにしたことをも特徴とするものである。
【０００９】
この発明の装身具用連結金具は、上記一対のハウジングの側面に設けた磁石保持部が一対のハウジングの接合面に形成され、連珠状の装身具を多連としたときに上記接合面が身体の前面に来ないようにしたことをも特徴とするものである。
【発明の効果】
【００１０】
この発明によれば、連結金具の部分が装飾性に富んでいて何ら違和感がなく、また長期間使用していると係合部分が緩む、磨耗して外れやすくなる、連結金具と珠玉とが擦れて珠玉が傷付くという欠点がなく、しかもネックレス等の連珠状の装身具の使用形態としてループ状（エンドレス）その他の種々の連結形態を採用することができる装身具用連結金具を提供することが可能となった。
【発明を実施するための最良の形態】
【００１１】
以下、この発明の装身具用連結金具の実施の形態について図面を参照しながら詳細に説明する。
図１はこの発明の装身具用連結金具の１実施例を示す平面図、図２はその底面図、図３はその側面図、図４はその正面図、図５はその背面図、図６は一対のハウジングを開いた状態の側面図、図７は図６の反対側の側面図、図８は一対のハウジングを分解した状態の内部を示す図、図９はこの発明の装身具用連結金具を使用して装身具をループ状に連結した状態の正面図、図１０はこの発明の装身具用連結金具を使用して装身具の途中で直交する方向に連結した状態の正面図、図１１は連珠状の装身具を多連としたときの連結状態を説明する正面図である。
【００１２】
図１ないし図８において装身具用連結金具１０は、多数の珠玉５１に貫通孔５２を設け、この貫通孔５２内に通糸５３等を挿通して連結した連珠状の装身具に用いられるものである。
すなわち、蝶番２０を介して開閉可能に連結された一対のハウジング１１，１２を備えている。このハウジング１１，１２の一方の端部には連珠状の装身具の一端に取り付けるための取付環３０が形成されている。
【００１３】
上記一対のハウジング１１，１２の対向する部分にはそれぞれ開放端に向かって磁石保持部１３および珠玉収納部１４が順次形成されており、一対のハウジング１１，１２の上記開放端には閉じたときに上記通糸５３部分を挟んで珠玉収納部１４に収納した珠玉５１を抜け止めする第１の開口１５が形成されている。
また、一対のハウジング１１，１２の側面には閉じたときに上記通糸部分５３を挟んで珠玉収納部１４に収納した珠玉５１を抜け止めする第２の開口１６が形成されている。
さらに一対のハウジング１１，１２にはそれぞれ開放するための左右一対のつまみ１７、および開放端部分に位置するつまみ１８が設けられている。したがって、このつまみ１７，１８に指をかけて一対のハウジング１１，１２を開くことができる。
ちなみに、図においては左右一対のつまみ１７はハウジング１２の両側に形成してあり、開放端部分に位置するつまみ１８は一対のハウジング１１，１２のそれぞれに形成してある。
【００１４】
なお、上記磁石保持部１３には永久磁石１９が取り付けてあるので、一対のハウジング１１，１２を閉じた際に上記磁石保持部１３に取り付けた永久磁石１９の吸着作用で一対のハウジング１１，１２は容易に開放しなくなり、したがって簡単に連結部分が開放されるおそれはなくなる。
【００１５】
この実施例では、上記一対のハウジング１１，１２の上記開放端に設けた第１の開口１５は、その突合せ部分の一方をコ字状とし、他方を上記コ字状部分２１にはめ込まれる舌片２２とした場合を示している。
また、上記一対のハウジング１１，１２の上記側面に設けた第２の開口１６は、その突合せ部分の一方の開放端側を深くし、他方を浅くしている。したがっていずれの場合にも連結金具の第１および第２の開口１５，１６に通糸５３によって接合面を分離させる方向に負荷がかかった場合でも、通糸５３が直接接合面を分離させることができない。なぜなら通糸５３によってかけられる負荷はコ字状部分２１や深くした部分にかかるようになっているためである。
【００１６】
この実施例の装身具用連結金具においては、上記一対のハウジング１１，１２がその側面にも磁石保持部３１を備え、連珠状の装身具を多連としたときに、上記磁石保持部３１に取り付けた永久磁石３２の吸着作用で結束状態を保てることができるようになっている。
なお、上記一対のハウジング１１，１２の側面に設けた磁石保持部３１は一対のハウジング１１，１２の接合面に形成してある。すなわち、上記磁石保持部３１は一対のハウジング１１，１２の一方の接合面に突出するよう形成してあり、一対のハウジング１１，１２の他方の接合面に設けた凹部３３と係合するよう構成されている。
このようにすれば、連珠状の装身具を多連としたときに上記接合面が身体の前面に来ないようになるである。
【００１７】
上記一対のハウジング１１，１２は、それぞれ磁石保持部１３および珠玉収納部１４に対応して珠玉状に形成され、くびれ部分３４で一体的に連結されている。そのため珠玉収納部１４に珠玉５１をはめ込んで連結すると、連珠状の装身具においてこの一対のハウジング１１，１２からなる装身具用連結金具１０は何ら違和感のないものとなる。
【００１８】
なお、上記一対のハウジング１１，１２の上記開放端に設けた第１の開口１５は、その突合せ部分の一方をコ字状（大きな円弧状）とし、他方を上記コ字状部分２１にはめ込まれる舌片２２（小さな円弧状）とされている。また、上記一対のハウジング１１，１２の上記側面に設けた第２の開口１６を、その突合せ部分の一方の開放端側を深くし、他方を浅くしている。すなわち、第１の開口１５のコ字状部分２１の構成する小アームが、第１の開口１５の舌片２２から第２の開口１６の側部に達する部分によって構成された大アームに抱かれるように係合されるのである。
【００１９】
この発明の装身具用連結金具は上記構成からなっているので、一対のハウジング１１，１２を分離する際には、つまみ１７，１８に指をかけて開放する方向に引くと、蝶番２０を支点として一対のハウジング１１，１２がほぼ直角になるまで回動させることができる（図６、図７参照）。
そこで珠玉５１を珠玉収納部１４にはめ込み、一対のハウジング１１，１２を閉じると、その時点で磁石保持部１３の永久磁石１９が互いに吸着しあい、一対のハウジング１１，１２は容易に開放しなくなる。したがって衝撃等で簡単に連結部分が開放されるおそれはない。
【００２０】
次にこの発明の装身具用連結金具の用例を説明すると、ネックレス等の連珠状の装身具をループ状に連結する場合は、図９に示すように第１の開口１５から通糸５３をはめ込んで珠玉５１を珠玉収納部１４にはめ込むのである。
【００２１】
また、ネックレス等の連珠状の装身具を長さ方向の途中で直交する方向に連結する場合は、図１０に示すように第２の開口１６から通糸５３をはめ込んで珠玉５１を珠玉収納部１４にはめ込むのである。
【００２２】
さらに、ネックレス等の連珠状の装身具を多連として連結する場合は、図１１に示すように２本のネックレス等の連珠状の装身具をそれぞれループ状に連結し、その上でそれぞれの上記磁石保持部３１に取り付けた永久磁石３２の吸着作用で結束するのである。
【００２３】
上記実施例において、装身具用連結金具を構成する一対のハウジング１１，１２は金や銀、プラチナ等の貴金属、あるいはそれらの合金であることができる。上記一対のハウジング１１，１２はロストワックス鋳造法によって、あるいはプレス成形、切削等によって作製することができる。
また永久磁石１９，３２としては、希土類磁性材料が好適に使用できる。例えば、ネオジム・鉄・ボロン磁石やサマリウム・コバルト磁石がその例として挙げられる。これらの磁石１９，３２の磁石保持部１３，３１への取り付けに際しては、接着剤や爪止め、これらの併合、あるいはその他適宜の手段を採用することができる。
【産業上の利用可能性】
【００２４】
この発明の装身具用連結金具は、ネックレスのみならずブレスレット、アンクレット、その他の連珠状の装身具を種々の形態で連結するために利用することができる。
【図面の簡単な説明】
【００２５】
【図１】この発明の装身具用連結金具の１実施例を示す平面図である。
【図２】その底面図である。
【図３】その側面図である。
【図４】その正面図である。
【図５】その背面図である。
【図６】一対のハウジングを開いた状態の側面図である。
【図７】図６の反対側の側面図である。
【図８】一対のハウジングを分解した状態の内部を示す図である。
【図９】この発明の装身具用連結金具を使用して装身具をループ状に連結した状態の正面図である。
【図１０】この発明の装身具用連結金具を使用して装身具の途中で直交する方向に連結した状態の正面図である。
【図１１】連珠状の装身具を多連としたときの連結状態を説明する正面図である。
【符号の説明】
【００２６】
１０  装身具用連結金具
１１，１２  ハウジング
１３  磁石保持部
１４  珠玉収納部
１５  第１の開口
１６  第２の開口
１７，１８  つまみ
１９  永久磁石
２０  蝶番
２１  コ字状部分
２２  舌片
３０  取付環
３１  磁石保持部
３２  永久磁石
３３  凹部
３４  くびれ部分
５１  珠玉
５２  貫通孔
５３  通糸
【図１】
2006102090.tif 000003
【図２】
2006102090.tif 000004
【図３】
2006102090.tif 000005
【図４】
2006102090.tif 000006
【図５】
2006102090.tif 000007
【図６】
2006102090.tif 000008
【図７】
2006102090.tif 000009
【図８】
2006102090.tif 000010
【図９】
2006102090.tif 000011
【図１０】
2006102090.tif 000012
【図１１】
2006102090.tif 000013